(57)【要約】【課題】個々の画像について望ましい写真特性になるように調整する手法に関して工夫されているが、複数の画像を統一感あるものに仕上げるなど、複数画像を関連させて画像調整を行うものがなく、画質調整の上で十分でなかった。【解決手段】各種の画像情報源から複数の画像の画像情報を取得し、プレビュー画面に複数の画像を並べて表示し、各画像について画質調整を行う。【選択図】        図４
2004289516.tif 000002
【特許請求の範囲】
【請求項１】
取得した入力画像情報の画像を、複数の領域を設定可能な第１のプレビュー画面に表示し、設定された前記複数領域を切り出し、切り出された前記複数領域を第２のプレビュー画面に並べて表示する事を特徴とする画像処理方法。
【請求項２】
前記第２のプレビュー画面に表示されている前記複数領域の個々の画像情報に対して異なった画質調整値に基づいて画像処理を施す事を特徴とする請求項１に記載の画像処理方法。
【請求項３】
前記複数領域は、重複して設定可能である事を特徴とする請求項１又は請求項２に記載の画像処理方法。
【請求項４】
前記第２のプレビュー画面は、前記第１のプレビュー画面に表示された画像から切り出された前記領域の画像に加えて、前記入力画像情報と異なる画像情報の画像を整列して表示可能である事を特徴とする請求項１〜３のいずれか１項に記載の画像処理方法。
【請求項５】
複数の画像が並列して表示される第３のプレビュー画面を表示し、表示された前記複数の画面から選択指定して画像を切り出し、選択した前記画像を、前記複数領域に加えて前記第２のプレビュー画面に表示する事を特徴とする請求項１〜４のいずれか１項に記載の画像処理方法。
【請求項６】
複数の入力単位の画像情報を取得して複数の画像を一つの画面に表示し、表示された前記複数の画像の画像情報の個々に対して異なる調整値に基づいて画像処理を行う事を可能にした事を特徴とする画像処理方法。
【請求項７】
調整された前記複数の画像の画像情報を単一の画像記録メディアに保存する事を特徴とする請求項６に記載の画像処理方法。
【請求項８】
取得した入力画像情報を画面に表示し、矩形を定義し、該矩形に相似形で大きさの異なる領域の指定を行って、トリミング処理を行う画像処理方法において、前記領域の大きさを調整するための原点は、前記矩形の各頂点及び前記矩形の重心のいずれかに指定可能である事を特徴とする画像処理方法。
【請求項９】
取得した入力画像情報を画像表示手段に表示し、所定の形状を定義し、定義された前記形状に相似形で大きさの異なる領域の指定を行って、トリミング処理を行う画像処理方法において、前記領域の大きさを調整するための原点は、前記形状に外接する矩形の各頂点及び前記矩形の重心のいずれかに指定可能である事を特徴とする画像処理方法。
【請求項１０】
取得した入力画像情報を画面に表示し、矩形を定義し、前記矩形を回転させてトリミング領域を設定し、トリミング処理を行う画像処理方法において、前記矩形を回転させるための原点は、前記矩形の各頂点及び前記矩形の重心のいずれかに設定可能である事を特徴とする画像処理方法。
【請求項１１】
取得した入力画像情報を画面に表示し、所定の形状を定義し、前記所定の形状を回転させてトリミング領域を設定し、トリミング処理を行う画像処理方法において、
前記所定の形状を回転させるための原点は、前記形状に外接する矩形の各頂点及び前記矩形の重心のいずれかに指定可能である事を特徴とする画像処理方法。
【請求項１２】
トリミング処理後の領域が、前記入力画像情報の存在範囲からはみ出る事を許容する第１のトリミング領域設定モードと、前記トリミング処理後の領域が、前記入力画像情報の存在範囲からはみ出る事を禁止した第２のトリミング領域設定モードを有し、前記２種のトリミング領域設定モードを適宜切り替え可能な事を特徴とする、請求項８〜１１のいずれか１項に記載の画像処理方法。
【請求項１３】
画像表示手段及び画像処理手段を有し、
前記画像処理手段は、取得した入力画像情報の画像を、複数の領域を設定可能な形状で前記画像表示手段の第１のプレビュー画面に表示し、
設定された前記複数領域を切り出し、
切り出された前記複数領域を前記画像表示手段の第２のプレビュー画面に並べて表示する事を特徴とする画像処理装置。
【請求項１４】
前記画像処理手段は、前記第２のプレビュー画面に表示されている前記複数領域の個々の画像情報に対して異なった画質調整値に基づいて画像処理を施す事を特徴とする請求項１３記載の画像処理装置。
【請求項１５】
前記画像処理手段は、前記複数領域を、重複して設定する事ができる事を特徴とする請求項１３又は請求項１４に記載の画像処理装置。
【請求項１６】
前記画像処理手段は、前記第１のプレビュー画面に表示された画像から切り出された前記領域の画像に加えて、前記入力画像情報と異なる画像情報の画像を前記第２のプレビュー画面に整列して表示する事を特徴とする請求項１３〜１５のいずれか１項に記載の画像処理装置。
【請求項１７】
前記画像処理手段は、複数の画像が並列して表示される第３のプレビュー画面を前記画像表示手段に表示し、表示された前記複数の画面から選択指定して画像を切り出し、選択した前記画像を、前記複数領域に加えて前記第２のプレビュー画面に表示する事を特徴とする請求項１３〜１６のいずれか１項に記載の画像処理装置。
【請求項１８】
画像表示手段及び画像処理手段を有し、
前記画像処理手段は、複数の入力単位の画像情報を取得して複数の画像を前記画像表示手段の一つの画面に表示し、表示された前記複数の画像の画像情報の個々に対して異なる調整値に基づいて画像処理を行う事を特徴とする画像処理装置。
【請求項１９】
前記複数の画像の画像情報を単一の画像記録メディアに保存する画像出力手段を有する事を特徴とする請求項１８に記載の画像処理装置。
【請求項２０】
取得した入力画像情報を画面に表示し、矩形を定義し、該矩形に相似形で大きさの異なる領域の指定を行って、トリミング処理を行う画像処理手段を有する画像処理装置において、前記画像処理手段は、前記領域の大きさを調整するための原点を、前記矩形の各頂点及び前記矩形の重心のいずれかに指定する事ができる事を特徴とする画像処理装置。
【請求項２１】
取得した入力画像情報を画面に表示し、所定の形状を定義し、定義された前記形状に相似形で大きさの異なる領域の指定を行って、トリミング処理を行う画像処理手段を有する画像処理装置において、
前記画像処理手段は、前記領域の大きさを調整するための原点を、前記形状に外接する矩形の各頂点及び前記矩形の重心のいずれかに指定するを特徴とする画像処理装置。
【請求項２２】
取得した入力画像情報を画面に表示し、矩形を定義し、該矩形を回転させてトリミング領域を設定し、トリミング処理を行う画像処理手段を有する画像処理装置において、前記画像処理手段は、前記領域を回転させるための原点を、前記矩形の各頂点及び前記矩形の重心のいずれかに設定する事を特徴とする画像処理装置。
【請求項２３】
取得した入力画像情報を画面に表示し、所定の形状を定義し、定義された前記所定の形状を回転させてトリミング領域を設定し、トリミング処理を行う画像処理手段を有する画像処理装置において、
前記画像処理手段は、前記領域を回転させるための原点を、前記形状に外接する矩形の各頂点及び前記矩形の重心のいずれかに指定する事を特徴とする画像処理装置。
【請求項２４】
トリミング処理後の領域が、前記入力画像情報の存在範囲を超えて設定可能な第１のトリミング領域設定モードと、前記トリミング処理後の領域が、前記入力画像情報の存在範囲からはみ出る事を禁止した第２のトリミング領域設定モードを有し、前記２種のトリミング領域設定モードを適宜切り替え可能な事を特徴とする請求項２０〜２３のいずれか１項に記載の画像処理装置。
【請求項２５】
取得した入力画像情報の画像を、複数の領域を設定可能な第１のプレビュー画面に表示し、設定された前記複数領域を切り出し、切り出された前記複数領域を第２のプレビュー画面に並べて表示する事を特徴とする画像処理プログラム。
【請求項２６】
前記第２のプレビュー画面に表示されている前記複数領域の個々の画像情報に対して異なった画質調整値に基づいて画像処理を施す事を特徴とする請求項２５記載の画像処理プログラム。
【請求項２７】
前記複数領域は、重複して設定可能である事を特徴とする請求項２５又は請求項２６に記載の画像処理プログラム。
【請求項２８】
前記第２のプレビュー画面は、前記第１のプレビュー画面に表示された画像から切り出された前記領域の画像に加えて、前記入力画像情報と異なる画像情報の画像を整列して表示可能である事を特徴とする請求項２５〜２７のいずれか１項に記載の画像処理プログラム。
【請求項２９】
複数の画像が並列して表示される第３のプレビュー画面を表示し、表示された前記複数の画面から選択指定して画像を切り出し、選択した前記画像を、前記複数領域に加えて前記第２のプレビュー画面に表示する事を特徴とする請求項２５〜２８のいずれか１項に記載の画像処理プログラム。
【請求項３０】
複数の入力単位の画像情報を取得して複数の画像を一つの画面に表示し、表示された前記複数の画像の画像情報の個々に対して異なる調整値に基づいて画像処理を行う事を可能にした事を特徴とする画像処理プログラム。
【請求項３１】
調整された前記複数の画像の画像情報を単一の画像記録メディアに保存する事を特徴とする請求項３０に記載の画像処理プログラム。
【請求項３２】
取得した入力画像情報を画面に表示し、矩形を定義し、該矩形に相似形で大きさの異なる領域の指定を行って、トリミング処理を行う画像処理プログラムにおいて、前記領域の大きさを調整するための原点は、前記矩形の各頂点及び前記矩形の重心のいずれかに指定可能である事を特徴とする画像処理プログラム。
【請求項３３】
取得した入力画像情報を画像表示手段に表示し、所定の形状を定義し、定義された前記形状に相似形で大きさの異なる領域の指定を行って、トリミング処理を行う画像処理プログラムにおいて、前記領域の大きさを調整するための原点は、前記形状に外接する矩形の各頂点及び前記矩形の重心のいずれかに指定可能である事を特徴とする画像処理プログラム。
【請求項３４】
取得した入力画像情報を画面に表示し、矩形を定義し、前記矩形を回転させてトリミング領域を設定し、トリミング処理を行う画像処理プログラムにおいて、前記領域を回転させるための原点は、前記矩形の各頂点及び前記矩形の重心のいずれかに設定可能である事を特徴とする画像処理プログラム。
【請求項３５】
取得した入力画像情報を画面に表示し、所定の形状を定義し、前記所定の形状を回転させてトリミング領域を設定し、トリミング処理を行う画像処理プログラムにおいて、
前記所定の形状を回転させるための原点は、前記形状に外接する矩形の各頂点及び前記矩形の重心のいずれかに指定可能である事を特徴とする画像処理プログラム。
【請求項３６】
トリミング処理後の領域が、前記入力画像情報の存在範囲からはみ出る事を許容する第１のトリミング領域設定モードと、前記トリミング処理後の領域が、前記入力画像情報の存在範囲からはみ出る事を禁止した第２のトリミング領域設定モードを有し、前記２種のトリミング領域設定モードを適宜切り替え可能な事を特徴とする、請求項３２〜３５のいずれか１項に記載の画像処理プログラム。
【請求項３７】
原稿台及び原稿カバ−を有する画像読取装置において、
前記原稿カバーは、弾性及び可撓性を有し、且つ、その１００ｃｍ２当たりの質量が１５ｇ以上１００ｇ以下である事を特徴とする画像読取装置。
【請求項３８】
原稿台及び原稿カバーを有する画像読取装置において、
前記原稿カバーは、複数の関節部が連結された板状部材からなり、前記複数の関節部材は、１０ｃｍ離れた範囲の端部間で±３０°以上屈曲可能であるとともに、前記原稿カバーは、その１００ｃｍ２当たりの質量が１５ｇ以上１００ｇ以下である事を特徴とする画像読取装置。
【請求項３９】
前記原稿カバー押さえる剛性の板材からなる押さえカバーを有する事を特徴とする請求項３７又は請求項３８に記載の画像読取装置。
に記載の画像読取装置。
【発明の詳細な説明】
【０００１】
【発明の属する技術分野】
本発明は、原稿読取により取得した画像情報や通信手段を介して外部から取得した画像情報や各種の記憶媒体から取得した画像情報を処理して表示し、記録媒体に記録する画像処理技術に関する。
【０００２】
【従来の技術】
原稿を原稿台にのせ、スキャンして画像採取し、複写画像を得る機器が一般に普及している。これらの機器は、色々な複写原稿に対応する必要がある為、通常使用する原稿サイズよりも大きな読み取り範囲を有する場合が一般的である。
【０００３】
そこで、あらかじめ複写サイズにあわせた原稿の配置位置が決められている複写機が一般に普及している。
【０００４】
一方、特にカラー写真等、自然画像の複写処理が可能な、高画質のフルカラープリンターが現れ、写真プリントから複写プリントを作成するサービスも始まっている。これら写真原稿の場合、文字情報とは異なり、原稿全面が意味を持つ場合が多く、また、原稿サイズも通常の文書原稿よりも小さい場合がほとんどであるので、複写プリントの中に写真原稿の情報が、大きな位置ずれなく、きれいに収まっている必要がある。そして、カラー写真としての色調を好ましく再現している必要がある。
【０００５】
そこで、画像原稿をプレスキャンしてプレビュー情報を取得し、これをモニタに表示して原稿の位置を指定し、色調整を行う装置、手法が必要である。対応する文献の一例として、特許文献１には、プレスキャン画像を表示して、画像領域を切り出す手法が詳細に紹介されている。
【０００６】
また、特許文献２には、プレスキャン画像を表示する際に、特定の背景色をバックに表示させる事で、プリントとモニタとのマッチング性を向上させ、高画質の色調整ができるとしている。
【０００７】
これら写真複写サービスを業として行う場合、効率的な作業を行う必要がある。これに対応し、特許文献３には、複数の写真を原稿台に配置させ、一回のスキャンで複数の写真原稿の読み取りを行う手法が紹介されている。
【０００８】
【特許文献１】
特開２０００−３３２９６６号公報
【０００９】
【特許文献２】
特開平１０−１４５５８２号公報
【００１０】
【特許文献３】
特開２００１−１６７２７１号公報
【００１１】
【発明が解決しようとする課題】
ところで、さらに近年では、複数の画像を１枚の写真プリントにレイアウトして焼付けする各種付加価値プリント、或いはＣＤＲ等、大容量の画像記録メディアに大量の画像を保存するといった、高度な加工を施す画像処理、出力サービスもある。これらのケースに於いては、上記原稿からの複写画像に限らず、ネガフィルムから採取した画像、デジタルスチルカメラで撮影したデジタル画像、さらには、各種加工を施したデジタル画像などが混在して配置される場合もある。
【００１２】
複数の画像種が混在したレイアウトプリントに於いては、一枚一枚の画像が好ましい色調で再現される事はもちろんであるが、それぞれの統一感もレイアウトプリントの品位を決める上で重要な要素となっている。
【００１３】
また通常の写真複写サービスに於いても、一連の、複数の写真原稿のコピー注文を受ける場合も少なからず存在し、より好ましいサービスを実現する為には、写真原稿そのものの色変動等を調整し、統一感あるプリント作成が求められている。
【００１４】
しかしながら、特許文献２に記載された手法では、単一の写真の色調を好ましく調整する事はできるが、複数の画像の統一感を調整できる手法では無く、課題となっていた。
【００１５】
さらに、これら写真複写サービスを業として行う場合の効率に関し、特許文献１の手法では、画像１枚ごとに個別の作業が必要であり問題がある。
特許文献３の手法によれば、複数の原稿を同時に読み込む事は可能であるが、複写プリントの注文が、すべて全面から全面へのコピーであるとは限らず、注文の内容に応じたトリミング手法が必要な場合も多く、十分な効果が得られるとは限らなかった。
【００１６】
さらに、原稿台に写真原稿を複数配置する手法に関しては述べられていない。写真原稿は、表面と裏面の物性が異なる等、その特性から、若干のカールや、凹凸が存在する場合が多い。そのため原稿台に配置した際、わずかな力で移動や回転する事が多く、効率的に整列させる事は困難な為、十分な効率の向上は期待できない。
【００１７】
本発明はこのような状況に鑑みてなされたものであり、作業効率の良い原稿複写作業が行える手法、及び装置の提供を目的とするものである。そしてさらに、複数の画像メディアを関連付けて加工するような、高度な画像出力サービスが簡単に実現できる手法の提供を目的とするものである。
【００１８】
【課題を解決するための手段】
前記目的は下記の発明により達成される。
【００１９】
１．取得した入力画像情報の画像を、複数の領域を設定可能な第１のプレビュー画面に表示し、設定された前記複数領域を切り出し、切り出された前記複数領域を第２のプレビュー画面に並べて表示する事を特徴とする画像処理方法。
【００２０】
２．前記第２のプレビュー画面に表示されている前記複数領域の個々の画像情報に対して異なった画質調整値に基づいて画像処理を施す事を特徴とする前記１に記載の画像処理方法。
【００２１】
３．前記複数領域は、重複して設定可能である事を特徴とする前記１又は前記２に記載の画像処理方法。
【００２２】
４．前記第２のプレビュー画面は、前記第１のプレビュー画面に表示された画像から切り出された前記領域の画像に加えて、前記入力画像情報と異なる画像情報の画像を整列して表示可能である事を特徴とする前記１〜３のいずれか１項に記載の画像処理方法。
【００２３】
５．複数の画像が並列して表示される第３のプレビュー画面を表示し、表示された前記複数の画面から選択指定して画像を切り出し、選択した前記画像を、前記複数領域に加えて前記第２のプレビュー画面に表示する事を特徴とする前記１〜４のいずれか１項に記載の画像処理方法。
【００２４】
６．複数の入力単位の画像情報を取得して複数の画像を一つの画面に表示し、表示された前記複数の画像の画像情報の個々に対して異なる調整値に基づいて画像処理を行う事を可能にした事を特徴とする画像処理方法。
【００２５】
７．調整された前記複数の画像の画像情報を単一の画像記録メディアに保存する事を特徴とする前記６に記載の画像処理方法。
【００２６】
８．取得した入力画像情報を画面に表示し、矩形を定義し、該矩形に相似形で大きさの異なる領域の指定を行って、トリミング処理を行う画像処理方法において、前記領域の大きさを調整するための原点は、前記矩形の各頂点及び前記矩形の重心のいずれかに指定可能である事を特徴とする画像処理方法。
【００２７】
９．取得した入力画像情報を画像表示手段に表示し、所定の形状を定義し、定義された前記形状に相似形で大きさの異なる領域の指定を行って、トリミング処理を行う画像処理方法において、前記領域の大きさを調整するための原点は、前記形状に外接する矩形の各頂点及び前記矩形の重心のいずれかに指定可能である事を特徴とする画像処理方法。
【００２８】
１０．取得した入力画像情報を画面に表示し、矩形を定義し、前記矩形を回転させてトリミング領域を設定し、トリミング処理を行う画像処理方法において、前記領域を回転させるための原点は、前記矩形の各頂点及び前記矩形の重心のいずれかに設定可能である事を特徴とする画像処理方法。
【００２９】
１１．取得した入力画像情報を画面に表示し、所定の形状を定義し、前記所定の形状を回転させてトリミング領域を設定し、トリミング処理を行う画像処理方法において、
前記領域を回転させるための原点は、前記形状に外接する矩形の各頂点及び前記矩形の重心のいずれかに指定可能である事を特徴とする画像処理方法。
【００３０】
１２．トリミング処理後の領域が、前記入力画像情報の存在範囲からはみ出る事を許容する第１のトリミング領域設定モードと、前記トリミング処理後の領域が、前記入力画像情報の存在範囲からはみ出る事を禁止した第２のトリミング領域設定モードを有し、前記２種のトリミング領域設定モードを適宜切り替え可能な事を特徴とする、前記８〜１１のいずれか１項に記載の画像処理方法。
【００３１】
１３．画像表示手段及び画像処理手段を有し、
前記画像処理手段は、取得した入力画像情報の画像を、複数の領域を設定可能な形状で前記画像表示手段の第１のプレビュー画面に表示し、
設定された前記複数領域を切り出し、
切り出された前記複数領域を前記画像表示手段の第２のプレビュー画面に並べて表示する事を特徴とする画像処理装置。
【００３２】
１４．前記画像処理手段は、前記第２のプレビュー画面に表示されている前記複数領域の個々の画像情報に対して異なった画質調整値に基づいて画像処理を施す事を特徴とする前記１３記載の画像処理装置。
【００３３】
１５．前記画像処理手段は、前記複数領域を、重複して設定する事ができる事を特徴とする前記１３又は前記１４に記載の画像処理装置。
【００３４】
１６．前記画像処理手段は、前記第１のプレビュー画面に表示された画像から切り出された前記領域の画像に加えて、前記入力画像情報と異なる画像情報の画像を前記第２のプレビュー画面に整列して表示する事を特徴とする前記１３〜１５のいずれか１項に記載の画像処理装置。
【００３５】
１７．前記画像処理手段は、複数の画像が並列して表示される第３のプレビュー画面を前記画像表示手段に表示し、表示された前記複数の画面から選択指定して画像を切り出し、選択した前記画像を、前記複数領域に加えて前記第２のプレビュー画面に表示する事を特徴とする前記１３〜１６のいずれか１項に記載の画像処理装置。
【００３６】
１８．画像表示手段及び画像処理手段を有し、
前記画像処理手段は、複数の入力単位の画像情報を取得して複数の画像を前記画像表示手段の一つの画面に表示し、表示された前記複数の画像の画像情報の個々に対して異なる調整値に基づいて画像処理を行う事を特徴とする画像処理装置。
【００３７】
１９．前記複数の画像の画像情報を単一の画像記録メディアに保存する画像出力手段を有する事を特徴とする前記１８に記載の画像処理装置。
【００３８】
２０．取得した入力画像情報を画面に表示し、矩形を定義し、該矩形に相似形で大きさの異なる領域の指定を行って、トリミング処理を行う画像処理手段を有する画像処理装置において、前記画像処理手段は、前記領域の大きさを調整するための原点を、前記矩形の各頂点及び前記矩形の重心のいずれかに指定する事ができる事を特徴とする画像処理装置。
【００３９】
２１．取得した入力画像情報を画面に表示し、所定の形状を定義し、定義された前記形状に相似形で大きさの異なる領域の指定を行って、トリミング処理を行う画像処理手段を有する画像処理装置において、
前記画像処理手段は、前記領域の大きさを調整するための原点を、前記形状に外接する矩形の各頂点及び前記矩形の重心のいずれかに指定するを特徴とする画像処理装置。
【００４０】
２２．取得した入力画像情報を画面に表示し、矩形を定義し、該矩形を回転させてトリミング領域を設定し、トリミング処理を行う画像処理手段を有する画像処理装置において、前記画像処理手段は、前記領域を回転させるための原点を、前記矩形の各頂点及び前記矩形の重心のいずれかに設定する事を特徴とする画像処理装置。
【００４１】
２３．取得した入力画像情報を画面に表示し、所定の形状を定義し、定義された前記所定の形状を回転させてトリミング領域を設定し、トリミング処理を行う画像処理手段を有する画像処理装置において、
前記画像処理手段は、前記領域を回転させるための原点を、前記形状に外接する矩形の各頂点及び前記矩形の重心のいずれかに指定する事を特徴とする画像処理装置。
【００４２】
２４．トリミング処理後の領域が、前記入力画像情報の存在範囲を超えて設定可能な第１のトリミング領域設定モードと、前記トリミング処理後の領域が、前記入力画像情報の存在範囲からはみ出る事を禁止した第２のトリミング領域設定モードを有し、前記２種のトリミング領域設定モードを適宜切り替え可能な事を特徴とする前記２０〜２３のいずれか１項に記載の画像処理装置。
【００４３】
２５．取得した入力画像情報の画像を、複数の領域を設定可能な第１のプレビュー画面に表示し、設定された前記複数領域を切り出し、切り出された前記複数領域を第２のプレビュー画面に並べて表示する事を特徴とする画像処理プログラム。
【００４４】
２６．前記第２のプレビュー画面に表示されている前記複数領域の個々の画像情報に対して異なった画質調整値に基づいて画像処理を施す事を特徴とする前記２５記載の画像処理プログラム。
【００４５】
２７．前記複数領域は、重複して設定可能である事を特徴とする前記２５又は前記２６に記載の画像処理プログラム。
【００４６】
２８．前記第２のプレビュー画面は、前記第１のプレビュー画面に表示された画像から切り出された前記領域の画像に加えて、前記入力画像情報と異なる画像情報の画像を整列して表示可能である事を特徴とする前記２５〜２７のいずれか１項に記載の画像処理プログラム。
【００４７】
２９．複数の画像が並列して表示される第３のプレビュー画面を表示し、表示された前記複数の画面から選択指定して画像を切り出し、選択した前記画像を、前記複数領域に加えて前記第２のプレビュー画面に表示する事を特徴とする前記２５〜２８のいずれか１項に記載の画像処理プログラム。
【００４８】
３０．複数の入力単位の画像情報を取得して複数の画像を一つの画面に表示し、表示された前記複数の画像の画像情報の個々に対して異なる調整値に基づいて画像処理を行う事を可能にした事を特徴とする画像処理プログラム。
【００４９】
３１．調整された前記複数の画像の画像情報を単一の画像記録メディアに保存する事を特徴とする前記３０に記載の画像処理プログラム。
【００５０】
３２．取得した入力画像情報を画面に表示し、矩形を定義し、該矩形に相似形で大きさの異なる領域の指定を行って、トリミング処理を行う画像処理プログラムにおいて、前記領域の大きさを調整するための原点は、前記矩形の各頂点及び前記矩形の重心のいずれかに指定可能である事を特徴とする画像処理プログラム。
【００５１】
３３．取得した入力画像情報を画像表示手段に表示し、所定の形状を定義し、定義された前記形状に相似形で大きさの異なる領域の指定を行って、トリミング処理を行う画像処理プログラムにおいて、前記領域の大きさを調整するための原点は、前記形状に外接する矩形の各頂点及び前記矩形の重心のいずれかに指定可能である事を特徴とする画像処理プログラム。
【００５２】
３４．取得した入力画像情報を画面に表示し、矩形を定義し、前記矩形を回転させてトリミング領域を設定し、トリミング処理を行う画像処理プログラムにおいて、前記領域を回転させるための原点は、前記矩形の各頂点及び前記矩形の重心のいずれかに設定可能である事を特徴とする画像処理プログラム。
【００５３】
３５．取得した入力画像情報を画面に表示し、所定の形状を定義し、前記所定の形状を回転させてトリミング領域を設定し、トリミング処理を行う画像処理プログラムにおいて、
前記所定の形状を回転させるための原点は、前記形状に外接する矩形の各頂点及び前記矩形の重心のいずれかに指定可能である事を特徴とする画像処理プログラム。
【００５４】
３６．トリミング処理後の領域が、前記入力画像情報の存在範囲からはみ出る事を許容する第１のトリミング領域設定モードと、前記トリミング処理後の領域が、前記入力画像情報の存在範囲からはみ出る事を禁止した第２のトリミング領域設定モードを有し、前記２種のトリミング領域設定モードを適宜切り替え可能な事を特徴とする、前記３２〜３５のいずれか１項に記載の画像処理プログラム。
【００５５】
３７．原稿台及び原稿カバ−を有する画像読取装置において、
前記原稿カバーは、弾性及び可撓性を有し、且つ、その１００ｃｍ２当たりの質量が１５ｇ以上１００ｇ以下である事を特徴とする画像読取装置。
【００５６】
３８．原稿台及び原稿カバーを有する画像読取装置において、
前記原稿カバーは、複数の関節部が連結された板状部材からなり、前記複数の関節部材は、一方向の１０ｃｍ離れた範囲の端部間で±３０°以上屈曲可能であるとともに、前記原稿カバーは、その１００ｃｍ２当たりの質量が１５ｇ以上１００ｇ以下である事を特徴とする画像読取装置。
【００５７】
３９．前記原稿カバー押さえる剛性の板材からなる押さえカバーを有する事を特徴とする前記３７又は前記３８に記載の画像読取装置。
に記載の画像読取装置。
【００５８】
なお、前記第６項、前記第１８項及び前記第３０項における、入力単位とは、各種画像記録メディアから入力画像情報を取得する画像取得手段の種別又は一連の画像が記録された画像記録フォルダ、一連の画像が記録された写真フィルム（ロール又はカットされたピース）など、入力画像操作上の一括りの画像単位を言う。
【００５９】
【発明の実施の形態】
本発明の実施の形態について、写真店において、近年普及してきた顧客からの注文に応じて、プリントやＣＤＲ等、記録メディアへの画像書き込みサービスを行う、デジタルミニラボを例に説明する。
【００６０】
図１は、本発明の実施の形態に係る画像処理装置を備えたデジタルミニラボの基本的な構成をブロック図として表したものである。
【００６１】
本発明の実施の形態に係る画像処理装置を有するデジタルミニラボ１は、大きな分類で、画像取得部２、画像処理手段としての画像処理部３、画像ストレージ部４、画像出力手段としての画像出力部５及び画像表示手段としての操作表示部６で構成される。
【００６２】
画像取得部２は、反射原稿スキャナ２１、透過原稿スキャナ２２、メディアドライバ２３及び情報通信インターフェース２４で構成される。
【００６３】
写真プリント、印刷物、書画等の反射原稿は反射原稿スキャナ２１で読み取られ、ネガフィルム、ポジフィルム等の写真フィルムは透過原稿スキャナ２２で読み取られ、デジタルスチルカメラ（以下、ＤＳＣと言う）で撮影され、スマートメディア、コンパクトフラッシュ（Ｒ）等、各種の画像記録メディアに収められた画像情報はメディアドライバ２３で読み取られ、インターネットやＬＡＮを介して送信された画像情報や、ＤＶＤ、ＣＤＲ、フロッピー（Ｒ）ディスク等の各種記録メディアに格納されている画像情報は各々対応するメディアドライバで読み取られ、接続ケーブルを介して情報通信インターフェース２４により取得される。情報通信インターフェース２４は、また画像ストレージ４から画像情報を取得する。
【００６４】
前記したように画像取得部２で取得した画像情報は、画像処理部３に入力され各種の画像処理を施されて、画像ストレージ部４に格納されるか又は画像出力部５において、プリントされるかもしくは外部に出力される。
【００６５】
画像出力部５への画像情報は、例えば、銀塩露光プリンタ５１やインクジェットプリンタ５２等の異なる装置においても同一の色調が得られるように、出力先に対応した色変換を画像処理部３において施したものである。
【００６６】
画像処理部３における画像処理のための条件をはじめとする指示は、操作表示部６の接触センサ６２，、マウス６３又はキーボード６４を用いて行われ、画像表示、装置の状態表示、各種の警告等は画像表示部６１において行われる。
【００６７】
画像出力部５は銀塩露光プリンタ５１、インクジェットプリンタ５２及びＤＶＤ、ＣＤＲ、フロッピー（Ｒ）ディスク等の各種メディアに記録するメディア記録装置を備えており、画像情報をプリントとして又は画像情報として出力する事ができる。さらに、通信インターフェース５４から外部に送信される。
【００６８】
画像処理部３は、階調、色調、彩度、鮮鋭性等の各種の写真特性の調整を行い、また、トリミングをはじめとする各種の画像編集を行うものであり、後に説明する各種の編集や写真特性の調整のためのプログラムを内蔵する。
【００６９】
本発明においては、画像取得部２において、取得した画像情報を画像表示部６１のプレビューに画面に表示し、プレビュー画面の操作による各種の調整を行って、プリントや記憶メディアに記憶する等の画像情報の出力が行われる。
【００７０】
図２は画像表示部６１に表示される受付画面を示す。
受付画面ＳＣ１では、最初に状態表示／先頭駒確定画面ＳＣ１１が表示され、プリンタがスタンバイ状態にあり、プリント作業が可能であるか、通信回線が接続されているか等の状態がこの画面に表示される。
【００７１】
受付画面ＳＣ１には、さらに、ネガフィルム／ポジョフィルムの別を指定するフィルム種の指定ボタンＳＣ１０、Ｌ判からＡ４判までのプリントサイズの指定ボタンＳＣ１２、インデックスプリント付加の指定ボタンＳＣ１５、入力画像情報の取得先、すなわち、ＤＳＣか、プリントやコピー（プリント画像）か、ＤＶＤ、ＣＤＲ等の記憶メディアか、画像ストレージ部４からのストレージ画像か、外部のＰＣかの指定ボタンＳＣ１３、及び画像の出力先、すなわち、銀塩プリンタ５１か、インクジェットプリンタ５２か又は各種の記憶メディア５３かの指定ボタンＳＣ１４が表示される。
【００７２】
画像表示部６１に表示される第１のプレビュー画面を示す図３、第２のプレビュー画面を示す図４及びプリント画像を読み取ってプリント等の画像出力を行う工程を実行するプログラムのフローチャートを示す図７により、プリント画像の読取から画像情報の出力までの工程を説明する。
【００７３】
図２の受付画面ＳＣ１において、入力待ちの状態からＰｔｏＰ、すなわち、写真等の反射原稿から画像採取し、画像処理してプリント画像を出力するモードを指定する入力メディアの指定ボタンＳＣ１３におけるプリントコピーボタンがクリックされると（Ｆ１、Ｆ２）、図３の第１のプレビュー画面ＳＣ２が開く。
【００７４】
第１のプレビュー画面ＳＣ２のプレビュー画像表示画面ＳＣ２０には、プレスキャンした画像が表示される。
【００７５】
第１のプレビュー画面ＳＣ２では、複数枚のプリント画像から所望のものを選択して指定しプリント指令をする事ができる。
【００７６】
すなわち、プレスキャンボタンＳＣ２８を押して、プレスキャンを指示すると（Ｆ３）、反射原稿スキャナ２１が原稿をプレスキャンして、スキャンした原稿の画像がプレビュー画像表示画面ＳＣ２０に表示される（Ｆ４）。
【００７７】
反射原稿スキャナ２１は、例えば、Ｌ判の写真プリントが数枚〜十数枚程度を原稿台に載置して、１回のプレスキャンで読み取る事ができる周知のスキャナであり、プレスキャンで読み取られた複数の写真プリントの画像は、プレビュー画像表示画面ＳＣ２０に同時に読み取ったままの配置で表示される。
【００７８】
プレビュー画像表示画面ＳＣ２０には、エリア１が表示される。ここでエリアは、所定の縦横比を持った矩形として定義されており、図１におけるマウス６３又はキーボード６４の操作で自由に移動させるとともに、大きさを自由に変える事ができる。エリア１を移動させて所望の画像に合わせ、トリミング領域を設定する。図示の例では、トリミングするエリアが所定の縦横比を有する矩形として定義されており、オペレータは該矩形をマウス６３やキーボード６４を操作して移動させ所望の画像に合わせる事ができるが、形状、回転等を任意に指定できるようにする事も可能である。エリアのサイズはエリアサイズ表示部ＳＣ２３に表示され、また、トリミングした画像を出力する際の倍率は、倍率ボタンＳＣ２４で指示する事ができ、プリント画像の姿勢は、回転ボタンＳＣ２５で、９０°回転ボタン又は自由回転ボタンを操作する事により指示する事ができる。
【００７９】
すなわち、９０°回転ボタンを押す毎にトリミング枠が９０°単位で回転する。トリミング枠が矩形であれば、矩形の縦横が入れ代わった枠の設定ができる。自由回転ボタンを押すと、例えばマウス等を用いて矩形枠を任意角度に回転させる事が可能となり、自由な角度設定が可能となる。詳細については後に説明する。
【００８０】
エリア指定に際して、ＳＣ３０、ＳＣ３１は、出力画像の画質を指示する画質指定ボタンであり、画質優先か又はスピード優先かを指示する事ができる。画質指示については、後に説明する。
【００８１】
エリア１の指定が終了したら、エリア追加ボタンＳＣ２６を押して、エリア２をプレビュー画像表示画面ＳＣ２０に表示し、前記したエリアの指定を行う（Ｆ６のＮｏ、Ｆ５）。このような操作を繰り返し実行して複数のエリアを指定する事ができる。所望のエリアの指定が完了したら、ジャッジボタンＳＣ２９をクリックする（Ｆ６のＹｅｓ）。
【００８２】
なおエリア指定において、指定操作中のエリアの番号は、選択エリア表示部ＳＣ２２に表示され、指定合計数はエリア選択数表示部ＳＣ２７に表示される。
【００８３】
また、エリア１〜ｎは、例えば、図示のエリア１と３のように、領域を重複して指定する事ができる。
【００８４】
第１のプレビュー画面ＳＣ２において、ジャッジボタンＳＣ２９がクリックされると、図４の第２のプレビュー画面に切り替わる（Ｆ７）。
【００８５】
第２のプレビュー画面ＳＣ３には、第１のプレビュー画面ＳＣ２で切り出したエリア１〜ｎ（図では１〜６）がプレスキャン画像ＳＣ４０のエリア１〜ｎとして表示される。なお、プレスキャン画像ＳＣ４０が、１枚の第２のプレビュー画面に表示しきれないときは、数枚のプレビュー画面に分けて表示され、合計何枚のプレビュー画面があり、その何枚目が表示されているかが、表示部ＳＣ４６に表示される。
【００８６】
プレスキャン画像ＳＣ４０では、個々に画質調整、プリントサイズ指定等の指定を行う事ができる。すなわち、カーソルボタンＳＣ４３を操作して、エリア１〜ｎから所望のものを選択し、サイズ／枚数指定ボタンＳＣ４１を操作して、例えば、Ｌ判、１枚のように、プリントサイズと枚数を指定し、画質調整ボタンＳＣ４４を操作して画質を調整する事ができる。画質調整ボタンは、Ｙ、Ｍ、Ｃ、Ｄのそれぞれについて、＋（プラス）又は−（マイナス）の指示をする事ができるようになっており、調整値は、表示部ＳＣ４２にＹ、Ｍ、Ｃ、Ｄ毎に表示される。
【００８７】
このように、第１のプレビュー画面ＳＣ２で様々なトリミング指定を行った領域を、第２のプレビュー画面ＳＣ３では、同一サイズに整列して表示する事によりトリミング領域外の画像情報に左右される事無く、さらに、整列配置されている画像各々の比較調整が出来る事で、品位の高い、安定した画像調整が簡単に実施出来るのである。
【００８８】
なお、第２のプレビュー画面ＳＣ３に表示される画像各々のプリントサイズ（ここではアスペクト比）が異なる場合、同一サイズの画像として表示する事は出来ないが、その場合は、縦又は横のサイズをそろえて、略同一のサイズとして整列表示する事により十分な調整が可能である。
【００８９】
画質調整ボタンＳＣ４４におけるＦ／Ｌは「Ｆキー」、「Ｌキー」と称される調整ボタンである。Ｆ／Ｌボタンを一回押す毎に、「機能なし」→「Ｆキーの機能オン」→「Ｌキーの機能オン」と状態が繰り返し切り替わる。Ｆキー、Ｌキーとは、それぞれ、従来のネガフィルムプリンタで通常用いられているものであり、Ｆキーを押すと、夕方、曇天、電球照明、等の元で撮影した画像の色の偏り補正を強化した画像処理機能が働き、Ｌキーを押すと、例えば、画像内に彩度の高い被写体が存在する場合に、画像全体の色調がこの被写体の影響を受けて変動してしまう不具合を軽減する画像処理機能が働く。
【００９０】
表示部ＳＣ４２における「その他」には、シャープネス、粒状性、彩度等の特殊な画質調整因子が表示される。
【００９１】
前記の調整を行い（Ｆ８）、プリントボタンＳＣ４５をクリックすると（Ｆ９のＹｅｓ）、プリント工程に移行するが、プリント工程は、画質優先モード又はスピード優先モードに分けて実行される（Ｆ１０）。
【００９２】
これらのモードは、図３における画質優先モードボタンＳＣ３０又はスピード優先モードＳＣ３１の操作に従って選択される。
【００９３】
画質優先モードでは（Ｆ１０のＹｅｓ）、スキャンエリアの設定が行われ（Ｆ１４）、トリミング領域毎に設定された好ましい解像度で本スキャンが行われ、指定された領域の本スキャンが行われたら（Ｆ１４、Ｆ１５、Ｆ１６）、指定領域毎に、画質の調整が行われて（Ｆ１３）終了する。好ましい解像度は、プリントサイズ別に設定されており、選択されたプリントサイズに応じて自動的に設定される。ステップＦ１３における画質の調整は、ステップＦ８において指定された調整値に従って実行される。
【００９４】
スピード優先モードの場合（Ｆ１０のＮｏ）は、全画像を固定の一定解像度で本スキャンし（Ｆ１１）、トリミング画像を切り出し（Ｆ１２）、切り出した各画像について色調整等の画像処理を施して（Ｆ１３）終了する。
【００９５】
図５は、ネガフィルム又はポジフィルムから画像を読み取り、プリントを行う場合に、画像表示部６１に表示される第３のプレビュー画面を示す。この画像読取は、図２に示す受付画面ＳＣ１が表示された状態で、透過原稿スキャナ２２にフィルム１２を挿入する事で、自動的にスタートする（Ｆ２１、Ｆ２２）。周知のとおり、フィルム種には、ポジフィルムとネガフィルムがあるが、この種別は、指定ボタンＳＣ１０の操作で予め設定する。
【００９６】
図５の第３のプレビュー画面ＳＣ４を用いたプリント工程は、図８のフローチャートで示すプログラムに従って実行される。
【００９７】
図１の透過原稿スキャナ２２に現像済みフィルムが挿入されると、図２の受付画面ＳＣ１内の、フィルム種の指定ボタンＳＣ１０で指定されたメディア種別（ナガ又はポジ）に基づいて、フィルムのプレスキャンが行われる（Ｆ２３）。プレスキャンが終了すると、図５の第３のプレビュー画面ＳＣ４が表示される（Ｆ２４）。
【００９８】
第３のプレビュー画面ＳＣ４では、プレスキャン画像ＳＣ５０のエリア１〜ｎ（図では１〜６）に各駒の画像が表示される。この場合、全駒の画像が１画面に表示しきれないときは、第２のプレビュー画面ＳＣ３の場合と同様に、表示部ＳＣ５７に全画面数のうちの何枚目かが示される。また、第２のプレビュー画面ＳＣ３と同様に、サイズ／枚数指定ボタンＳＣ５１、カーソルボタンＳＣ５３、画質調整ボタンＳＣ５４、が設けられ、プリントサイズ、プリント枚数、画質を指定する事が出来、画質調整にける調整量が、表示部ＳＣ５２に表示される。
【００９９】
すなわち、Ｆ２４において第３のプレビュー画面ＳＣ４が表示され、オペレータが所望の駒にカーソルを移動させて、トリミングボタンＳＣ５６を指定してトリミングすべき駒を選択すると（Ｆ２５）、選択された駒の画像が図２の第１のプレビュー画面ＳＣ２に表示される（Ｆ２８）。不要画像は、ＰＡＳＳボタンＳＣ５５をクリックする事により指定され不要処理される（Ｆ２６）。
【０１００】
表示された第１のプレビュー画面ＳＣ２を用いて前述したトリミング領域の指定が行われ（Ｆ２９）、ジャッジボタンＳＣ２９をクリックしてトリミングが終了し、全てのトリミングと不要画像選択が終わると（Ｆ３０）、第２のプレビュー画面ＳＣ３に切り替わり指定されたトリミング領域が整列表示される（Ｆ３２）。
【０１０１】
ステップ３２では、前述のように、全ての駒について、画像選択と、必要駒についてトリミング指定が終了しているかどうかの条件判定をし、この条件がＹｅｓとなるまでステップが繰り返されるので、画像の選択情報やトリミング領域情報を保持する必要があるが、当業者にとったは周知の技術であるために、ここでは図示しない。
【０１０２】
ステップＦ３３、Ｆ３４において、各トリミング領域及び選択画像（ＰＡＳＳしない駒）に対する画質調整が行われ、調整が完了すると、Ｆ１０以下のプリント工程に移行する。ステップＦ１０以下のプリント工程は図７に示したものである。
【０１０３】
第３のプレビュー画面ＳＣ４には、各種のメディアから取得した画像が表示される。
【０１０４】
すなわち、前記に説明した写真フィルムの他に、ＤＳＣの各種画像メモリ、ＤＶＤ、ＣＤＲ、フロッピー（Ｒ）ディスク等の各種記憶メディア、パソコン等の外部機器、インターネット等の通信回線を介した外部から取得した画像情報を表示する事ができる。このような画像情報種の指定は、受付画面における指定ボタンＳＣ１３を操作して行われる。
【０１０５】
第３のプレビュー画面ＳＣ４には、写真フィルムから取得した画像は写真フィルム１本分の画像が、各種記憶メディアから取得した画像はフォルダ又はファイル単位で収納されている画像が並列表示される。表示画像数が１画面分を超える場合には数画面にわたって表示され、表示部ＳＣ５７に合計頁数と表示頁数が表示される。
【０１０６】
なお、これら画像ソースの処理時に、トリミング領域指定が必要ない場合や、既に必要画像が、ファイル名や、フィルムの駒Ｎｏでわかっている場合には、第３のプレビュー画面ＳＣ４の代わりに駒Ｎｏやファイル名選択画面があれば、第２のプレビュー画面ＳＣ３を用いた本発明の画像処理が実現可能である。
【０１０７】
図９は、各種メディアから取得した画像情報からオペレータが所望するものを選択し画像を整列表示し、各画像について各種の調整を施した後にプリントを行う全工程を実行するプログラムのフローチャートである。
【０１０８】
図２の受付画面ＳＣ１から、トリミングすべき画像の選択が行われる（Ｆ４０、Ｆ４１）。トリミングすべき画像が反射原稿、すなわち写真プリントの画像か又は他の画像、すなわち写真フィルム画像や、ＤＳＣ、各種の記憶メディアからの画像であるかによって処理工程が分かれる。
【０１０９】
受付画面ＳＣ１において、指定ボタンＳＣ１３のプリントコピーが指定され、写真プリントが選択された場合は（Ｆ４１のトリミング）、図１の反射原稿スキャナ２１により原稿読み込みが行われ（Ｆ４２）、図３の第１のプレビュー画面ＳＣ２に切り替わる（Ｆ４３）。ステップＦ４３においては、前記に説明した工程に従って、トリミング領域の設定が行われ設定が終了すると、第２のプレビュー画面に切り替わり、設定したトリミング領域の画像が整列表示される（Ｆ４４）。
【０１１０】
第２のプレビュー画面ＳＣ３には、各種のメディアから取得した画像が整列表示される。すなわち、ステップＦ４１において、指定ボタンＳＣ１３においてプリントコピー以外の指定が行われた場合には、対象画像を取り込み（Ｆ４８）、ステップＦ４９に移行する。
【０１１１】
ステップＦ４８において、写真フィルムの読み込みや画像情報の読み込みが行われ、読み込んだ画像が第３のプレビュー画面ＳＣ４に表示される（Ｆ４９）。
【０１１２】
第３のプレビュー画面ＳＣ４においては、プリント画像を選択する事と、プリント画像についてトリミングを行うか否かを指定する事が行われる。トリミングなしのプリントを指定した場合には、選択された画像が第２のプレビュー画面ＳＣ３に表示され（Ｆ５０、Ｆ４４）、トリミングが指定された場合には、選択された画像が第１のプレビュー画面ＳＣ２に表示される。第１のプレビュー画面ＳＣ２でトリミング領域を指定し（Ｆ５１）、設定が完了すると、指定されたトリミング領域の画像が第２のプレビュー画面ＳＣ３に追加表示される（Ｆ４４）。
【０１１３】
図６に、各種の画像情報源から取得した画像を整列表示する第２のプレビュー画面ＳＣ３の例を示す。図６に示した第２のプレビュー画面ＳＣ３では、エリア１、２に写真プリント（ＰｔｏＰ）の画像が、エリア３〜６にネガの画像が表示されている。
【０１１４】
第２のプレビュー画面ＳＣ３のプリントボタンＳＣ４５をクリックする事により、プリント工程に入り、まず、本スキャンの要／不要がチェックされる（Ｆ４５）。写真プリントや写真フィルムからの画像情報、すなわち、スキャンにより取得される画像情報の場合には、本スキャンが行われる（Ｆ４５のＹｅｓ）。
【０１１５】
そして本スキャンで取得された画像情報に対して、第１，第２のプレビュー画面ＳＣ３を用いて設定されている条件に従ったトリミングや画像調整が実施される（Ｆ４７）。ＤＳＣや記憶メディアからの画像情報は本スキャンが不要であり、ステップＦ４５からＦ４６に直接移行し、Ｆ４６でさらに画像処理を施されて終了する。
【０１１６】
このように、第２のプレビュー画面ＳＣ３に、複数の、メディアから取得した画像を整列表示し、画質調整する事で、各々の均質性を評価しながら画質調整する事が可能となり、例えばこれら複数の画像を用いて構成したレイアウトプリントや、これらをＣＤＲ等の画像記録デバイスに整理保存した電子アルバム等を作成しても、均質性の高い、高品質の画像処理サービスを実現できる。
【０１１７】
図１０は第２のプレビュー画面の他の例を示す。
図１０の例は、より多数の画像を整列表示する事ができるように構成されており、例えば、エリア１〜２４のように２４枚のプレスキャン画像ＳＣ６１が表示される。
【０１１８】
このように多数の画像を表示すると１枚の画像サイズが小さくなるが、調整のために選択されたプレスキャン画像ＳＣ６０が大サイズで表示される。選択されたプレスキャン画像ＳＣ６０について、指定ボタンＳＣ６２及び画質調整ボタンＳＣ６５が設けられ、プリントサイズ、プリント枚数、画質等の調整を行う事ができる。ＳＣ６６はプリント指定ボタン。ＳＣ６７は頁表示部、ＳＣ６８はトリミング指定ボタンである。
【０１１９】
本発明は、トリミングの設定を行う際の新規なトリミング枠の設定手法を提供する。図１１は該設定手法の例を示す。
【０１２０】
図１１（ａ）に示すようにトリミング領域は画像Ｇ１の一部を抽出する矩形のトリミング領域ＴＲ１として設定され、トリミング枠は、ＴＲ１←→ＴＲ２のように相似形で拡大／縮小される。
【０１２１】
拡大／縮小においては、領域の何処を原点とするかにより、拡大／縮小処理後の画像及びトリミング領域の位置が異なる。
【０１２２】
本発明の形態においては、トリミング領域の拡大／縮小の際の原点を矩形のトリミング領域の４つの頂点Ｐ１〜Ｐ４及び矩形の重心Ｐ５のいずれかに設定する事が可能である。図１１（ｂ）では、矩形の左上の頂点Ｐ１を原点として、拡大／縮小する例を示し、図１１（ｃ）は矩形の重心Ｐ５を原点として拡大／縮小する例を示す。
【０１２３】
図１２はトリミング枠設定の手法の他の例を示す。
図１２においては、ハート形のトリミング領域ＴＲ１に外接する矩形ＦＬ１が設定される。トリミング領域ＴＲ１は所定の形状を持ったものとして予め登録されているものであり、複数種類の登録図形から選択する事が可能である。外接する矩形を用いて、図１１について説明したと同様に、矩形ＦＬ１の４つの頂点Ｐ１〜Ｐ４及び重心Ｐ５のいずれかを原点として、拡大／縮小を実行する事ができる。
【０１２４】
図１２（ｂ）、図１２（ｃ）には、矩形の左上頂点Ｐ１及び重心Ｐ５を原点として拡大／縮小を行う例が示されている。
【０１２５】
図１３、図１４はトリミング領域を回転させる手法の例を示す。
図１３は所望の画像を含むように矩形のトリミング領域を設定し、設定したトリミング領域ＴＲ１をＴＲ２で示すように回転させる例であり、回転の原点は、矩形のトリミング領域の４つの頂点Ｐ１〜Ｐ４又は重心Ｐ５のいずれかに設定可能である。図１３（ｂ）、（ｃ）はトリミング領域ＴＲ１の左上の頂点Ｐ１、重心Ｐ５を原点として回転した例である。
【０１２６】
図１４は、所定の形状のトリミング領域ＴＲ１を設定し、トリミング領域ＴＲＩに外接する矩形ＦＬ１の４つの頂点Ｐ１〜Ｐ４及び重心Ｐ５のいずれかに回転の中心を設定してトリミング領域ＴＲ１を回転してトリミング領域ＴＲ２を設定する事ができる。図１４（ｂ）、（ｃ）は、矩形ＦＬ１の左上の頂点Ｐ１、重心Ｐ５を原点として回転した例である。
【０１２７】
本発明はさらに、トリミング領域が、入力画像情報の存在範囲の外にはみ出した場合にもトリミングを可能にする手法を提供するものである。このようなトリミング領域の設定手法により、トリミング手法の活用範囲が拡大し、その利用価値が高まる。
【０１２８】
画像の拡大や回転により、トリミング領域の位置が変化して画像情報の存在範囲からはみ出す場合があるが、本発明の実施の形態においては、はみ出しを禁止するモードと、はみ出しを許容し、はみ出した画像をプリント又は画像情報として出力するモードとを選択する事ができる。
【０１２９】
図１５は、画像情報の存在範囲を超えてトリミング領域を設定する場合における表示の概念図である。
【０１３０】
図１５（ａ）はみ出し許容モードにおける画像を示す。このモードでは、例えば、画像の拡大を行う場合に、トリミング領域がはみ出したときには、画像表示部６１（図１参照）に図示のようにはみ出した矩形のトリミング領域ＴＲが表示される。図１５（ｂ）はハート形のトリミング領域ＴＲがはみ出し表示される例である。
【０１３１】
図１５（ａ）（ｂ）は表示の概念図であり、画像表示部６１に実際に表示される画面では、トリミング領域ＴＲのはみ出し部ＴＲａは表示されない。また、出力画像情報にはみ出し部の画像情報は含まれない事になるが、出力プリントには、はみ出し部が後に説明するように設定条件に応じた画像として形成される。
【０１３２】
はみ出し禁止モードにおいては、拡大処理又は回転処理において、画像情報の存在領域の境界に達するまで、トリミング枠の拡大又は回転を行い、境界に達した時点で、処理を停止する画像処理が行われる。図１５（ｃ）、（ｄ）は許容限界まで拡大処理されたトリミング領域ＴＲを示す。なお、図１５（ｃ）、（ｄ）に達した時点で処理を停止する。この際、警告表示を行ってもよい。
【０１３３】
図１６は、図１１〜１５に示した各種の画像処理を設定するための画面を示す。
【０１３４】
トリミング設定画面ＳＣ５には、はみ出し設定部ＳＣ７０、はみ出し処理設定部ＳＣ７１、変倍原点設定部ＳＣ７２及び回転原点設定部ＳＣ７３が設けられる。
【０１３５】
はみ出し設定部ＳＣ７０には、はみ出しを「認める」「認めない」「自由枠の場合のみ認める」のボタンが用意され、図１５に示すはみ出しモードを設定する事ができる。「認める」では、図１５の（ａ）や（ｂ）のようにトリミング領域がどのような形状でもはみ出しを許容し、「認めない」では、どのような形状でもはみ出しを許容しない。「自由枠の場合のみ認める」では、図１５（ａ）のように、定型の矩形のトリミング領域を指定したときは認めないが、図１５（ｂ）のように、矩形以外の自由な枠を設定した場合には、はみ出しが許容される。
【０１３６】
すなわち、自由な枠の場合、枠にはめ込む（トリミングする）画像の構成位置には、枠の形態に起因する制限が存在する場合が多く、この条件を崩してしまうと、矩形の場合と違って著しくトリミング効果が薄れてしまう事がある。本設定機能によって、このような問題に対する対応が可能となる。
【０１３７】
はみ出し処理設定ボタンＳＣ７１には、「白で埋める」「黒で埋める」「自動推定」のボタンが用意され、図１５におけるはみ出し部ＴＲａをプリントにおいて白色の塗りつぶしとするか、黒色の塗りつぶしとするか又は自動推定とするかを指定する事ができる。
【０１３８】
「自動推定」では、例えば、はみ出し領域ＴＲａ以外の領域の画像の色調、テクスチュア等をはみ出し領域に適用して塗りつぶすように、推定による塗りつぶし処理が行われる。
【０１３９】
変倍原点設定部ＳＣ７２には、「トリミング枠の中心」「矩形の頂点」「自動切換」ボタンが用意され、図１１、１２における拡大／縮小の原点Ｐ１〜Ｐ５を選択して指定する事ができる。「トリミング枠の中心」では、図１１〜１４における重心Ｐ５が原点として設定され、「矩形の頂点」では、図１１〜１４の頂点Ｐ１〜Ｐ４のうちのカーソルで指定した変倍・回転時の移動点に対向する頂点が原点として設定される。すなわち、変倍又は回転の操作は、トリミング領域としての矩形又は外接枠としての矩形の頂点にカーソルを合わせ、頂点からドラッグする事で、頂点の一つを移動させる事により行われる。変倍又は回転時の原点は、カーソル位置である移動頂点の対角にある頂点に自動的に設定される。
【０１４０】
「自動切換」は、原点の変更を機械が自動的に行うモードを指示するボタンであり、このモードでは、変倍又は回転によりトリミング領域が画像情報の存在範囲をはみ出すときに、原点の切り替えを行って、はみ出しを生じない変倍又は回転が行われる。自動切り替えは、前記のように変倍又は回転により、画像が外にはみ出す場合の他に、画像合成を行うときに、拡大又は回転により他の画像と衝突する場合に使用して有効である。
【０１４１】
本発明は新規な画像読取装置を提供する。
図１７に示す従来の画像読読取装置１００は、装置本体１００と本体１００に蝶番結合された原稿カバーとしてのプラテンカバー１０３とからなる。装置本体１００はプラテンガラス１０２を有する。図１７（ｂ）に示すように、原稿台としてのプラテンガラス１０３はＬ判の写真数枚ないし十数枚を同時に載置する事ができる面積を有し、プラテンカバー１０３に設けられたクッション層１０３ａで写真プリントＯＲ１、ＯＲ２、ＯＲ３を押さえるように構成されている。一般に、プラテンカバー１０３は屈曲しない堅い板からなり、クッション層１０３ａの柔軟性で写真プリントＯＲ１〜ＯＲ３をプラテンガラス１０２に押さえ、原稿を平面に保持する。
【０１４２】
しかしながら、従来の画像読取装置では、写真プリントＯＲ１〜ＯＲ３を所望の位置に設定する事が困難な場合が少なくない。すなわち、写真プリントは多くの場合、カールする傾向があるために、プラテンガラス１０２上の正確な位置に原稿を設置する事が困難であるばかりでなく、写真プリントを載置した後に、プラテンカバー１０３を閉じる過程で、原稿が動いて設定位置からずれてしまう事が多い。
【０１４３】
図１８に示す本発明の実施の形態の一例では、画像読取装置２００を装置本体２０１と原稿カバーとしてのプラテンカバー２０３で構成し、プラテンカバー２０３に、そのプラテンガラス２０２（原稿台）に対向する側にクッション層２０３ａを設けるとともに、湾曲しうるように構成している。
【０１４４】
プラテンカバー２０３が装置本体２０１に基部で蝶番結合される開閉可能であるとともに、力を加える事により図１８（ｂ）に示すように撓ませる事ができる。
【０１４５】
写真プリントＯＲをプラテンガラス２０３に載置する際には、図１８（ｂ）に示すように１枚載置する毎にプラテンカバー２０３を部分的にプラテンガラス２０２に押しつけて写真プリントＯＲを固定する。全ての写真プリントＯＲの載置を完了したときに、図１８（ａ）に示すようにプラテンカバー２０３の全面をプラテンガラス２０２に接触させる。プラテンカバー２０３が可撓性とともに弾性を有し、曲げ力をから開放されると図１８（ａ）のように平板状になる。
【０１４６】
このような可撓性、かつ弾性を有するプラテンカバー２０３は、例えば、弾性樹脂材や薄い鋼板を芯材とし、柔軟な樹脂で枠を形成したもので構成する事ができる。
【０１４７】
前記したように、写真プリントはカールする傾向を有するので、ある程度の力で原稿を押さえる事が望ましい。
【０１４８】
このために、プラテンカバー２０３には、１００ｃｍ２あたり、１５ｇ以上１００ｇ以下の質量を有するものが用いられる。１５ｇを下回ると、プラテンカバー２０３から手を離したときに、プラテンカバー２０３が浮き上がる可能性があり、１００ｇを超えると取り扱い上支障を来す可能性がある。
【０１４９】
図１９は本発明の実施の形態の他の例を示し、この例では、プラテンカバー２０３が多数の関節部を結合した板状部材で構成される。各関節部は図２０に示すように構成される。すなわち、関節部２０３ｂ、２０３ｂは、関節部２０３ｂに設けた連結軸２０３ｃで連結され、関節部２０３ｂと２０３ｂ間の間隙Ｄは、関節部２０３ｂが関節部２０３ｂに対して許容角度以上に曲がらないように設定されている。これによって、プラテンカバー２０３のサイズがある程度のサイズ以下の場合の取り扱い性が向上する。必要に応じて、許容角度を非常に大きく（すなわち制限角度をほぼなくする）設定する事も可能で、非常に大きなプラテンカバーを必要とする大型機の場合このような設定が好ましい。
【０１５０】
図１９における多数の関節部２０３ｂをこのように連結する事により、プラテンカバー２０３は屈曲可能なものに形成される。
【０１５１】
許容角度は、プラテンカバー２０３の原稿押さえ面の範囲内の任意の位置において１０ｃｍ当たり±３０°以上である事が望ましい。隣り合う関節部２０３ｂ間の角度θは必ずしも前記範囲と等しくはなく、図２（ｂ）に示すように、１０ｃｍ離れた位置において、関節部２０３ｂ間の角度が前記範囲内にあればよく、隣り合う関節部間の角度θの合計が前記範囲内にあればよい。角度θは、図２０（ａ）に示す関節部２０３ｂ間の間隔Ｄを適宜設定する事により決定される。
【０１５２】
これは、写真プリントの多くが一辺１０ｃｍ程度であり、１枚の写真プリントの範囲内で湾曲する事が望ましいという使用上の望ましい形態を満たすためである。
【０１５３】
図２１は本発明の実施の形態のさらに他の例を示す。この例では、プラテンカバーは２枚で構成される。写真プリントＯＲ１〜ＯＲ３を直接押さえるプラテンカバー２０３は、図１９、２０に示すものと同様であり可撓性の板材からなる。プラテンカバー２０３を押さえる押さえカバーとしてのプラテンカバー２０４は剛性の板からなる。
【０１５４】
図２１に示すプラテンカバー２０３、２０４により、写真プリントを載置し、位置設定する際には、プラテンカバー２０４で、暫定的に写真プリントＯＲ１〜ＯＲ３を押さえ、位置設定ができた段階で、プラテンカバー２０４でプラテンカバー２０３を押さえる事により、原稿のずれを無くする事ができる。
【０１５５】
【発明の効果】
請求項１〜７、１３〜１９、２５〜３１のいずれかの発明により、複数の切り出し領域を並べて表示するので、切り出した領域の周辺状況の影響を受ける事なく、切り出した領域を観察する事が可能となり、オペレータの意図の細部まで正確に反映した画像処理を施す事が可能になる。
【０１５６】
請求項２、１４又は２６の発明により、並べて表示された画像を個々に調整できるので、他の画像と比較しながら調整できるなど、個々の画像を良好に調整できるとともに、連続性を持った画質の画像群をうる事ができる。
【０１５７】
請求項３、１５又は２７の発明により、所望の複数領域が一部で重複している場合でも、重複領域を各所望領域に取り込む事ができるので、種々の画面構成の画像に対して適正なトリミング領域を設定する事が可能になる。
【０１５８】
請求項４、５、１６、１７、２８又は２９の発明により、組み合わせレイアウトプリントのような複数の画像ソースから画像情報を取得して複合加工する場合でも、取得した画像を並べて観察できるので、個々の画像の調整、全体としての画質調整、画像編集等をオペレータが望むとおりに行えるようになり、そろった品質で安定感のある画像が得られる。
【０１５９】
請求項６、７，１８、１９、３０又は３１の発明により、各種の記憶メディアから取得した画像情報の画像と写真フィルム、写真プリント等から取得した画像情報の画像を並列して同時に観察できるなど、異なる画像ソースからの画像でも、統一感のある画像に仕上げる事が可能となる。
【０１６０】
請求項８〜１１、２０〜２３、３２〜３５のいずれかの発明により、トリミング画像を複数組み合わせる画像合成や、トリミング画像を他の画像にはめ込む画像貼り付け等の画像編集において、合成手法が多様化した様々な貼り付け先の画像構成に柔軟に対応できるなど、編集技術が豊富化する。
【０１６１】
請求項１２、２４又は３６の発明により、一部の画像が欠けても必要な部分を拡大したり、必要な画像回転を行う事が可能になるなど、多様な画像処理技法を駆使する事ができるので、トリミング機能の利用価値が高まるとともに、使いやすいトリミング機能が実現される。
【０１６２】
請求項３７〜３９のいずれかの発明により、Ｌ判等の小サイズが多い写真プリントの原稿でも簡単な操作で正確な位置にセットする事が可能になり、また、写真プリントに多いカールによっても浮き上がる事がなく、平面性良く原稿台に保持する事ができる。
【０１６３】
請求項３９の発明により、原稿の浮き上がりが強い場合でも、浮き上がりを良好に防止する事ができる。
【図面の簡単な説明】
【図１】本発明の実施の形態に係る画像処理装置を有するデジタルミニラボのブロック図である。
【図２】受付画面の例を示す図である。
【図３】第１のプレビュー画面の例を示す図である。
【図４】第２のプレビュー画面の例を示す図である。
【図５】第３のプレビュー画面の例を示す図である。
【図６】第２のプレビュー画面の他の例を示す図である。
【図７】プリントコピーから画像情報を取得して出力するまでの工程を実行するプログラムのフローチャートである。
【図８】写真フィルムから画像情報を取得して出力するまでの工程を実行するプログラムのフローチャートである。
【図９】各種メディアから画像情報を取得して出力するまでの工程を実行するプログラムのフローチャートである。
【図１０】第２のプレビュー画面の他の例を示す図である。
【図１１】本発明の実施の形態に係る、拡大／縮小を伴ったトリミング処理の例を示す図である。
【図１２】本発明の実施の形態に係る、拡大／縮小を伴ったトリミング処理の他の例を示す図である。
【図１３】本発明の実施の形態に係る、回転を伴ったトリミング処理の例を示す図である。
【図１４】本発明の実施の形態に係る、回転を伴ったトリミング処理の他の例を示す図である。
【図１５】本発明の実施の形態に係る画像はみ出しを許容するトリミング処理の例を示す図である。
【図１６】画像はみ出しを許容する画像処理の指示画面を示す図である。
【図１７】従来の画像読取装置を示す図である。
【図１８】本発明の実施の形態に係る画像読取装置の例を示す図である。
【図１９】本発明の実施の形態に係る画像読取装置の他の例を示す図である。
【図２０】プラテンカバーの関節部を示す図である。
【図２１】本発明の実施の形態に係る画像読取装置の他の例を示す図である。
【符号の説明】
１  デジタルミニラボ
２  画像取得部
３  画像処理部
４  画像ストレージ部
５  画像出力部
６  操作表示部
ＳＣ１  受付画面
ＳＣ２  第１のプレビュー画面
ＳＣ３  第２のプレビュー画面
ＳＣ４  第３のプレビュー画面
ＴＲ１、ＴＲ２  トリミング領域
ＴＲａ  はみ出し部
１００、２００  画像読取装置
１０１、２０１  装置本体
１０２、２０２  プラテンガラス
１０３、２０３  プラテンカバー
【図１】
2004289516.tif 000003
【図２】
2004289516.tif 000004
【図３】
2004289516.tif 000005
【図４】
2004289516.tif 000006
【図５】
2004289516.tif 000007
【図６】
2004289516.tif 000008
【図７】
2004289516.tif 000009
【図８】
2004289516.tif 000010
【図９】
2004289516.tif 000011
【図１０】
2004289516.tif 000012
【図１１】
2004289516.tif 000013
【図１２】
2004289516.tif 000014
【図１３】
2004289516.tif 000015
【図１４】
2004289516.tif 000016
【図１５】
2004289516.tif 000017
【図１６】
2004289516.tif 000018
【図１７】
2004289516.tif 000019
【図１８】
2004289516.tif 000020
【図１９】
2004289516.tif 000021
【図２０】
2004289516.tif 000022
【図２１】
2004289516.tif 000023